(57)【要約】      （修正有）【課題】ドレン処理器の処理容量を超えるドレン水が発生する状況となった場合にも、運転を停止することなくドレン水が溢れるのを防止することができるドレン水処理機能付きの燃焼機を提供する。【解決手段】ドレン水がドレン処理器２１で溢れそうになった場合には、ドレン処理器２１に設けた水位検知器２４によって検知し、第１三方弁３３及び第２三方弁３４を切り替える。その結果、入水管２６から流入した水は、通常の運転時とは逆の順序で、入水管２６→第１バイパス管２９→１次熱交換器１６→２次熱交換器１７→第２バイパス管３０→出湯管２８の順に流れ、給湯端末３１から出湯される。その結果、２次熱交換器１７におけるドレン水の発生が少なくなり、ドレン処理器２１でドレン水が溢れにくくなる。【選択図】図２
2008057811.tif 000002
【特許請求の範囲】
【請求項１】
燃料を燃焼させるバーナと、
前記バーナによる燃焼ガスの上流側に配置された１次熱交換器と、
燃焼ガスの下流側に配置された２次熱交換器と、
前記２次熱交換器で発生したドレン水を処理するためのドレン処理器と、
前記ドレン処理器内におけるドレン水の水位を検知する水位検知手段と、
流入した水が前記２次熱交換器を経て前記１次熱交換器を通過するように配設された主通水路と、
流入した水が前記１次熱交換器を経て前記２次熱交換器を通過するように配設された副通水路と、
前記水位検知手段により検知されているドレン水の水位が所定水位よりも高くなった場合に、水の流路を前記主通水路から前記副通水路に切り換える流路切換手段と、
を備えたことを特徴とする給湯機。
【請求項２】
前記流路切換手段は、前記水位検知手段により検知されているドレン水の水位が所定水位よりも低くなった場合に、水の流路を前記副通水路から前記主通水路に切り換えることを特徴とする、請求項１に記載の給湯機。
【請求項３】
前記ドレン処理器で処理されたドレン水のｐＨ値を測定するｐＨ測定手段を備え、
前記流路切換手段は、前記ｐＨ測定手段による処理済のドレン水のｐＨ測定値が所定値よりも小さくなった場合には、水の流路を前記主通水路から前記副通水路に切り換え、前記ｐＨ測定手段による処理済のドレン水のｐＨ測定値が所定値よりも大きくなった場合には、水の流路を前記副通水路から前記主通水路に切り換えることを特徴とする、請求項１又は２に記載の給湯機。
【請求項４】
遠隔操作及び表示用のリモコンを有し、水の流路が前記主通水路から前記副通水路に切り換えられている場合には、前記リモコンの表示部に副通水路に切換えられている旨を表示させるようにしたことを特徴とする、請求項１から３のいずれか１項に記載の給湯機。
【請求項５】
前記主通水路は、前記２次熱交換器の入水側に接続された入水管と、前記２次熱交換器の出湯側と前記１次熱交換器の入水側を結ぶ接続管と、前記１次熱交換器の出湯側に接続された出湯管とからなり、入水管、２次熱交換器、接続管、１次熱交換器及び出湯管に順に通水させるものであり、
前記副通水路は、前記入水管と、前記接続管と、前記出湯管と、前記１次熱交換器及び前記２次熱交換器を迂回して前記入水管と前記出湯管を接続する第１バイパス管及び第２バイパス管とからなり、入水管、第１バイパス管、１次熱交換器、接続管、２次熱交換器、第２バイパス管及び出湯管に順に通水させるものであり、
前記流路切換手段は、前記第１バイパス管と前記入水管又は前記出湯管の接続部分に設けられた第１三方弁と、前記第２バイパス管と前記入水管又は前記出湯管の接続部分に設けられた第２三方弁と、前記第１三方弁及び前記第２三方弁を切換える流路切換制御部とからなることを特徴とする、請求項１から４のいずれか１項に記載の給湯機。
【請求項６】
浴槽内の湯を追い焚きするための追い焚き機能を備えた風呂用の給湯機であって、
浴槽のバスアダプターに接続された追い焚き回路に、前記ドレン処理器で処理された処理済のドレン水を排出するようにしたことを特徴とする、請求項１から５のいずれか１項に記載の給湯機。
【発明の詳細な説明】
【技術分野】
【０００１】
本発明は給湯機に関し、具体的には、燃焼ガスの潜熱を利用して高い熱効率で水を加熱できるようにしたドレン水処理機能付きの給湯機に関する。
【背景技術】
【０００２】
一般の給湯機は、顕熱を利用して水を加熱するだけであるが、燃焼ガス中の潜熱を回収することによって加熱効率を向上させるようにした高効率の給湯機が従来より知られている（例えば、特許文献１）。このような給湯機は、１次熱交換器（主熱交換器）と２次熱交換器（補助熱交換器）を備え、１次熱交換器と２次熱交換器で水を加熱する。１次熱交換器では、そこを通過する水と燃焼ガスを熱交換させ顕熱により水を加熱している。２次熱交換器では、そこを通過する水と燃焼ガスを熱交換させて潜熱を利用して水を加熱している。従って、この給湯機によれば、燃焼ガスの顕熱だけでなく、その潜熱までも回収して高い効率で水を加熱することができる。
【０００３】
このような潜熱回収機能を備えた燃焼装置では、潜熱回収に伴って２次熱交換器に強酸性の酸性成分等を含んだドレン水（凝結水）が発生するので、ドレン水を中和処理してから外部へ排出する必要がある。そのため、一般には、このドレン水は、ドレン処理器で中和処理した後に下水などに排水するようにしている。
【０００４】
また、ドレン処理器で中和処理されたドレン水を下水などに排水するためには、給湯機と下水との間にドレン水排出用の配管を別途設置しなければならないので、施工手間が掛かる。そのため、風呂給湯機では、中和処理したドレン水を追い焚き回路を通じて浴槽内に排出することが提案されている（例えば、特許文献２）。
【０００５】
【特許文献１】特開平１０−１４８３９８号公報
【特許文献２】特開２００３−４２５６６号公報
【発明の開示】
【発明が解決しようとする課題】
【０００６】
しかしながら、ドレン処理器は単位時間に処理できる量が決まっているので、処理可能な量以上のドレン水がドレン処理器に流入すると、ドレン処理器はそのドレン水を処理できなくなり、余分なドレン水がドレン処理器から溢れてしまうという問題があった。
【０００７】
こうしてドレン水がドレン処理器から外へ溢れ出ると、中和されていないドレン水によって給湯機が侵されるので、給湯機の寿命が短くなる。また、中和されていないドレン水が流れ出るので、環境汚染にもつながる恐れがある。
【０００８】
また、風呂給湯機の場合には、余分なドレン水が溢れて中和されないままドレン処理器を通過してしまうと、中和されないドレン水が浴槽内に流れ込むことになる。ドレン水には人体に影響のある酸などの成分が含まれているので、中和されないドレン水が浴槽に流れ込んで浴水に混入すると、入浴者の健康に影響を与える恐れがある。しかも、風呂給湯機の場合には比較的高温の湯を長時間給湯するので、多量にドレン水が発生し、ドレン処理器で溢れる恐れがある。
【０００９】
このようなドレン水漏れの対策としては、過剰なドレン水が発生した場合には、給湯機を停止させてドレン水がドレン処理器に流れ込まないようにする方法がある。しかし、この方法では給湯機を使えなくなるので、使用者に不便を強いることになる。また、ドレン水漏れが起きにくくするには、余裕を持たせて充分な容量のドレン処理器を設置すればよいが、その分給湯機が大型化すると共にドレン処理器に入れておく中和剤も多量に必要となる。
【００１０】
本発明は、このような技術的課題に鑑みてなされたものであって、ドレン処理器の処理容量を超えるドレン水が発生する状況となった場合にも、運転を停止することなくドレン水が溢れるのを防止することができるドレン水処理機能付きの燃焼機を提供することを目的とする。
【課題を解決するための手段】
【００１１】
このような目的を達成するために、本発明の請求項１にかかる給湯機は、燃料を燃焼させるバーナと、前記バーナによる燃焼ガスの上流側に配置された１次熱交換器と、燃焼ガスの下流側に配置された２次熱交換器と、前記２次熱交換器で発生したドレン水を処理するためのドレン処理器と、前記ドレン処理器内におけるドレン水の水位を検知する水位検知手段と、流入した水が前記２次熱交換器を経て前記１次熱交換器を通過するように配設された主通水路と、流入した水が前記１次熱交換器を経て前記２次熱交換器を通過するように配設された副通水路と、前記水位検知手段により検知されているドレン水の水位が所定水位よりも高くなった場合に、水の流路を前記主通水路から前記副通水路に切り換える流路切換手段とを備えたことを特徴としている。
【００１２】
本発明の給湯機にあっては、水位検知手段によりドレン処理器内のドレン水の水位が所定水位よりも高くなったことを検知した場合には、水の流路を副通水路に切り換えてドレン水の発生量を少なくすることができる。よって、ドレン水がドレン処理器で溢れそうな状況になった場合には、それを未然に検知してドレン水が少ししか発生しない状態で給湯機の運転を継続し、ドレン水の漏れを防止することができる。よって、従来のようにドレン水が漏れそうになっても給湯機を運転停止する必要が無く、また、大きなドレン処理器を設置する必要もない。
【００１３】
また、本発明の請求項２にかかる実施態様は、請求項１に記載の給湯機において、前記流路切換手段が、前記水位検知手段により検知されているドレン水の水位が所定水位よりも低くなった場合に、水の流路を前記副通水路から前記主通水路に切り換えることを特徴としている。
【００１４】
請求項２の実施態様によれば、ドレン水の水位が所定水位よりも低くなった場合には水の流路が自動的に主通水路に戻る。よって、水の通路が副通水路に切り替わって低効率の運転状態となった後、再びドレン水の水位が所定水位よりも低くなった場合に、手動により復旧作業を行なう手間が省かれる。
【００１５】
さらに、本発明の請求項３にかかる実施態様は、請求項１又は２に記載の給湯機において、前記ドレン処理器で処理されたドレン水のｐＨ値を測定するｐＨ測定手段を備え、前記流路切換手段が、前記ｐＨ測定手段による処理済のドレン水のｐＨ測定値が所定値よりも小さくなった場合には、水の流路を前記主通水路から前記副通水路に切り換え、前記ｐＨ測定手段による処理済のドレン水のｐＨ測定値が所定値よりも大きくなった場合には、水の流路を前記副通水路から前記主通水路に切り換えることを特徴としている。
【００１６】
請求項３の実施態様にあっては、ドレン処理器の処理能力以上のドレン水が発生した場合には、ｐＨ測定手段のｐＨ測定値が所定値よりも小さくなることで検知することができる。そして、ドレン水の発生量がドレン処理器の能力を超えそうな場合には、それを未然に検知してドレン水が少ししか発生しない状態で給湯機の運転を継続し、ドレン水の漏れを防止することができる。よって、従来のようにドレン水が漏れそうになっても給湯機を運転停止する必要が無く、また、大きなドレン処理器を設置する必要もない。また、請求項３の実施態様によれば、ｐＨ測定値が所定値よりも大きくなった場合には水の流路が自動的に主通水路に戻るので、手動により復旧作業を行なう手間が省かれる。
【００１７】
さらに、本発明の請求項４にかかる実施態様は、請求項１から３のいずれか１項に記載の給湯機において、遠隔操作及び表示用のリモコンを有し、水の流路が前記主通水路から前記副通水路に切り換えられている場合には、前記リモコンの表示部に副通水路に切換えられている旨を表示させるようにしたことを特徴としている。
【００１８】
請求項４の実施態様では、給湯機が低効率の運転状態になった場合には、その旨をリモコンの表示部に表示しているので、低効率運転により給湯機の熱効率が低下して出湯温度が下がった場合に、故障による出湯温度の低下と勘違いすることがない。
【００１９】
さらに、本発明の請求項５にかかる実施態様は、請求項１から４のいずれか１項に記載の給湯機において、前記主通水路は、前記２次熱交換器の入水側に接続された入水管と、前記２次熱交換器の出湯側と前記１次熱交換器の入水側を結ぶ接続管と、前記１次熱交換器の出湯側に接続された出湯管とからなり、入水管、２次熱交換器、接続管、１次熱交換器及び出湯管に順に通水させるものであり、前記副通水路は、前記入水管と、前記接続管と、前記出湯管と、前記１次熱交換器及び前記２次熱交換器を迂回して前記入水管と前記出湯管を接続する第１バイパス管及び第２バイパス管とからなり、入水管、第１バイパス管、１次熱交換器、接続管、２次熱交換器、第２バイパス管及び出湯管に順に通水させるものであり、前記流路切換手段は、前記第１バイパス管と前記入水管又は前記出湯管の接続部分に設けられた第１三方弁と、前記第２バイパス管と前記入水管又は前記出湯管の接続部分に設けられた第２三方弁と、前記第１三方弁及び前記第２三方弁を切換える流路切換制御部とからなることを特徴としている。
【００２０】
請求項５の実施態様によれば、流路切換制御部によって第１三方弁と第２三方弁を切り換えることにより、容易に水の流路を主通水路と副通水路に切り換えることができる。
【００２１】
さらに、本発明の請求項６にかかる実施態様は、請求項１から５のいずれか１項に記載の給湯機において、浴槽内の湯を追い焚きするための追い焚き機能を備えた風呂用の給湯機であって、浴槽のバスアダプターに接続された追い焚き回路に、前記ドレン処理器で処理された処理済のドレン水を排出するようにしたことを特徴としている。
【００２２】
請求項６の実施態様は風呂用の給湯機において、ドレン処理器で処理されたドレン水を追い焚き回路から浴槽に排出するようにしているので、給湯機の施工時の配管工事を簡略にすることができる。すなわち、処理済のドレン水を下水などに排出しようとすれば、施工現場において給湯機の外部における配管工事が必要となるが、ドレン水を追い焚き回路に排出する場合には、製造段階であらかじめドレン水の排出管を給湯機内部で追い焚き回路に接続しておけばよく、現場における配管工事が簡単になる。しかも、この給湯機によれば、ドレン水がドレン処理器で溢れて漏れにくくなっているので、処理されていないドレン水や十分に処理されていないドレン水が浴槽内に流れ込むのを防ぐことができる。
【発明を実施するための最良の形態】
【００２３】
以下、図面を参照しながら本発明の実施形態について詳細に説明する。
【００２４】
図１及び図２は、本発明にかかる風呂用途の給湯機（以下、風呂給湯機という。）１１の構造を示す概略図であって、図１は通常の運転状態を表わし、図２はドレン水が溢れそうになった場合に低効率運転を行なっている状態を表わしている。
【００２５】
風呂給湯機１１の缶体１２内にはバーナ１３が設置されており、風呂給湯機１１の燃焼運転時には、バーナ１３でガスが燃焼させられる。缶体１２の下面には給気口１４が設けられており、給気口１４の下にはバーナ１３に燃焼用の空気を供給するための給気用ファン１５が設けられている。バーナ１３で燃焼する燃焼ガスの流路の上流側には１次熱交換器１６が配置され、下流側には２次熱交換器１７が配置されており、さらに下流側において缶体１２の上部には排気口１８が開口されている。
【００２６】
しかして、給気用ファン１５から空気を送りながらバーナ１３でガスを燃焼させると、燃焼ガスは缶体１２内を流れて１次熱交換器１６を通過し、１次熱交換器１６を流れる水と熱交換する。ここでの熱交換は燃焼ガスの顕熱との熱交換であり、燃焼ガスは水を加熱する一方で、燃焼ガス自身の温度は下がる。
【００２７】
１次熱交換器１６を通過した燃焼ガスは、さらに２次熱交換器１７を通過し、２次熱交換器１７を流れる水と熱交換する。２次熱交換器１７を通過する燃焼ガスは、１次熱交換器１６を通過する際に温度が下がっているので、２次熱交換器１７においては燃焼ガスの潜熱との間で熱交換が行なわれる。そして、燃焼ガスは２次熱交換器１７を流れる水を加熱する一方で、燃焼ガス自身の温度はさらに下がり、温度の下がった燃焼ガスは排気口１８から外部へ排出される。
【００２８】
２次熱交換器１７においては、燃焼ガスの一部は潜熱を放出することによって凝縮するので、２次熱交換器１７の表面には凝縮した燃焼ガスによる強酸性のドレン水が付着する。２次熱交換器１７に付着したドレン水は、２次熱交換器１７から下に落ちるので、１次熱交換器１６と２次熱交換器１７との間には２次熱交換器１７から落ちるドレン水を受けるためのドレン受け１９が設けられている。
【００２９】
ドレン受け１９は傾斜しているので、ドレン受け１９の上に落ちたドレン水はドレン受け１９の上面を流れて片側に集められる。ドレン受け１９の片側に集められたドレン水はドレン水排出管２０へ排出され、ドレン水排出管２０を通ってドレン処理器２１へ送られる。
【００３０】
ドレン処理器２１は内部に炭酸カルシウム等の中和剤やフィルタなどを有しており、ドレン処理器２１を通過するドレン水をほぼ中性となるように中和させ、また人体に有害なイオンをドレン水から除去する。
【００３１】
ドレン処理器２１とドレンタンク２２とはドレン水排出管２３によってつながれており、処理済のドレン水はドレン水排出管２３によってドレンタンク２２へ送られ、ドレンタンク２２に溜められる。
【００３２】
また、ドレン処理器２１には、ドレン処理器２１内部のドレン水の水位を検知するための水位検知器２４が設けられている。水位検知器２４は、フロート式、光学式、電極棒等による通電検知式のものなど、どのような方式のものであっても差し支えない。ドレン水排出管２３には、ドレン処理器２１から排出される処理済のドレン水のｐＨを測定するためのｐＨセンサ２５（ｐＨ測定手段）が設けられている。
【００３３】
市水道等につながった入水管２６は２次熱交換器１７に接続され、２次熱交換器１７と１次熱交換器１６とは接続管２７によって接続され、浴室のカランやシャワー等の給湯端末３１につながった出湯管２８は１次熱交換器１６に接続されている。その結果、入水管２６、２次熱交換器１７、接続管２７、１次熱交換器１６及び出湯管２８が直列につながって主通水路を構成している。
【００３４】
入水管２６には、流量センサ３２と第１三方弁３３が設けられており、出湯管２８にも第２三方弁３４が設けられている。第１三方弁３３から分岐した第１バイパス管２９の他端は、１次熱交換器１６と第２三方弁３４の中間において出湯管２８に接続されている。また、第１三方弁３３と２次熱交換器１７の中間において入水管２６から分岐した第２バイパス管３０の他端は第２三方弁３４につながっている。そして、入水管２６、第１バイパス管２９、１次熱交換器１６、接続管２７、２次熱交換器１７、第２バイパス管３０及び出湯管２８が直列につながるように第１三方弁３３及び第２三方弁３４が切り換えられることにより、副通水路が構成される。
【００３５】
浴槽３５のバスアダプター３６には追い焚き往き管３７と追い焚き戻り管３８が接続されていて、追い焚き往き管３７と追い焚き戻り管３８によって追い焚き回路が構成されている。追い焚き往き管３７と追い焚き戻り管３８は１次熱交換器１６を通過しており、循環ポンプ４０を運転して追い焚き回路で浴槽３５内の湯を循環させると、浴槽３５内の湯は１次熱交換器１６により加熱される。
【００３６】
追い焚き戻り管３８には第３三方弁３９と循環ポンプ４０が設けられている。追い焚き戻り管３８には、前記ドレン処理器２１から排出された処理済のドレン水が流れ込むようになっている。すなわち、ドレンタンク２２のドレン水排出管４１が第３三方弁３９に接続されており、ドレン処理器２１から排出された処理済のドレン水は、一旦ドレンタンク２２に溜められた後、ドレン水排出管４１及び第３三方弁３９を経て追い焚き戻り管３８内に流れ込み、さらに浴槽３５内へ排出される。
【００３７】
風呂給湯機１１は、マイコンやメモリ、電子回路等によって構成されたコントローラ４２を有している。また、屋外に設置された風呂給湯機１１を屋内側から操作できるようにするため、コントローラ４２にはリモコン４３が接続されている。リモコン４３には、運転スイッチ４４や表示部４５、追い焚きスイッチ４６などが設けられている。
【００３８】
図３はコントローラ４２の機能を示す機能ブロック図である。コントローラ４２は、風呂給湯機１１を給湯動作させるための運転制御部５１と、運転状態を切替えるための流路切換制御部５２とからなる。
【００３９】
流路切換制御部５２は、水位検知器２４によってドレン処理器２１内のドレン水の水位を検知すると共に、ｐＨセンサ２５によってドレン処理器２１で処理されたドレン水のｐＨを検知しており、それらの検知結果に応じて第１及び第２三方弁３３、３４を切り換え、それによって風呂給湯機１１を通常の運転状態と低効率の運転状態とに切り換えている。通常の運転状態とは、ドレン処理器２１でドレン水が溢れる恐れのない場合の運転状態であって、このときには、第１三方弁３３は第１バイパス管２９側を閉じており、第２三方弁３４は第２バイパス管３０側を閉じていて、主通水路に水が流れる状態となっている。低効率の運転状態とは、ドレン処理器２１でドレン水が溢れる恐れがある場合の運転状態であって、このときには、第１三方弁３３は２次熱交換器１７側で閉じており、第２三方弁３４は１次熱交換器１６側で閉じていて、副通水路に水が流れる状態となっている。
【００４０】
図４は流路切換制御部５２による運転状態の切換え方法を説明するフロー図である。図４のフロー図に従って流路切換制御部５２の動作を説明する。流路切換制御部５２は、水位検知器２４によってドレン処理器２１内のドレン水の水位を検知し、ドレン処理器２１内が満水状態であるか否か監視している（ステップＳ１）。そして、ドレン処理器２１内の水位が所定水位（ドレン処理器２１内が満水となる前の十分な余裕を持たせた水位）以上で満水状態になっていると判断すると、第１三方弁３３及び第２三方弁３４を切り換えて水流路を主通水路から副通水路に切り換え風呂給湯機１１を通常運転から抵抗率運転に切換え（ステップＳ２）、リモコン４３に「低効率運転」である旨を表示して注意を促す（ステップＳ３）。
【００４１】
また、ステップＳ１において、ドレン処理器２１内の水位が所定水位よりも低いと判断すると、ｐＨセンサ２５によってドレン処理器２１から排出される処理後のドレン水のｐＨを検知し、検知したｐＨが所定のｐＨ値α（この値は、やや酸性側の値であって、例えばｐＨ＝６.５〜４.５のうちのある値であればよい。）よりも小さいか否かを判定する（ステップＳ４）。そして、処理済のドレン水のｐＨが所定値αよりも小さく、ドレン水の量がドレン処理器２１の処理能力を超えていると判断した場合には、第１三方弁３３及び第２三方弁３４を切り換えて水流路を主通水路から副通水路に切り換え風呂給湯機１１を通常運転から抵抗率運転に切換え（ステップＳ２）、リモコン４３に「低効率運転」である旨を表示して注意を促す（ステップＳ３）。
【００４２】
また、ステップＳ１において、ドレン処理器２１内の水位が所定水位よりも低いと判断し、かつ、ステップＳ２において、ドレン処理器２１から排出された処理済のドレン水のｐＨが所定値α以上であると判断した場合には、第１三方弁３３及び第２三方弁３４を切り換えて水流路を副通水路から主通水路に切り換え風呂給湯機１１を低抵抗運転から通常運転に切換え（ステップＳ５）、リモコン４３に表示されていた「低効率運転」の表示を消去する（ステップＳ６）。
【００４３】
そして、風呂給湯機１１の燃焼運転が終了した場合には、流路切換制御部５２の処理を終了する（ステップＳ７）。
【００４４】
運転制御部５１は、運転スイッチ４４をオンされることによって風呂給湯機１１を運転状態とし、流量センサ３２によって給湯端末３１が開かれたことを検知すると、バーナ１３を燃焼させると共に給気用ファン１５を回転させて給気し、リモコン４３で設定されている温度の湯を給湯端末３１から吐出させる。ただし、流路切換制御部５２によって通常の運転状態となっているか、低効率の運転状態になっているかによって風呂給湯機１１の給湯運転状態は異なっている。また、リモコン４３の追い焚きスイッチ４６が押された場合には、追い焚き運転を行なう。
【００４５】
つぎに、２つの運転状態、すなわち図１の通常の運転状態と、図２の低効率の運転状態とを説明する。なお、図１及び図２においては、入水管２６、２次熱交換器１７、接続管２７、１次熱交換器１６、第１バイパス管２９、第２バイパス管３０、出湯管２８からなる主通水路又は副通水路は破線で表わしてあり、しかも、流路が開かれていて水の流れている流路は太破線で表わし、流路が閉じていて水の流れない流路は細破線で表わしている。
【００４６】
まず図１の通常の運転状態について説明する。通常の運転状態では、第１三方弁３３は第１バイパス管２９側で閉じており、第２三方弁３４は第２バイパス管３０側で閉じている。しかして、給湯端末３１が開かれると、入水管２６から流入した低温の水は、図１に矢印で示すように、２次熱交換器１７によって加熱され、ついで１次熱交換器１６によって加熱された後、出湯管２８内を流れて給湯端末３１から吐出される。このとき、２次熱交換器１７においては燃焼ガスは低温の水に潜熱を与えることによって熱交換するので、風呂給湯機１１は高い熱効率で水と燃焼ガスを熱交換させることができる。
【００４７】
その一方、２次熱交換器１７では比較的多くのドレン水が発生する。２次熱交換器１７で発生したドレン水はドレン受け１９の上に落ち、ドレン水排出管２０からドレン処理器２１に流れ込んだドレン水はドレン処理器２１により処理される。ドレン処理器２１で処理されたドレン水は、一旦ドレンタンク２２に溜められた後、ドレン水排出管４１及び第３三方弁３９を通過して追い焚き戻り管３８に流れ込み、循環ポンプ４０を逆転させて追い焚き戻り管３８から浴槽内に排出される。
【００４８】
つぎに図２の低効率の運転状態について説明する。前記のように水位検知器２４がドレン処理器２１内のドレン水の水位が所定水位以上であることを検知するか、ｐＨセンサ２５が処理済みのドレン水のｐＨが所定値以下であることを検知すると、風呂給湯機１１は低効率の運転状態に切り替わり、第１三方弁３３は２次熱交換器１７側で閉じられ、第２三方弁３４は１次熱交換器１６側で閉じられ、表示部４５は低効率の運転状態である旨を表示する。
【００４９】
しかして、低効率の運転状態においては、給湯端末３１が開かれると、図２に矢印で示すように、入水管２６から流入した低温の水は、第１三方弁３３で第１バイパス管２９側へ流れ、第１バイパス管２９から出湯管２８を通って１次熱交換器１６で加熱され、ついで２次熱交換器１７によって加熱された後、第２バイパス管３０を流れ、第２三方弁３４に達すると出湯管２８へ流れて給湯端末３１から吐出される。このとき、２次熱交換器１７においては燃焼ガスは１次熱交換器１６で加熱された温度の高い湯と熱交換するので、２次熱交換器１７における熱効率は低下するものの、２次熱交換器１７において発生するドレン水は少量となる。
【００５０】
よって、低効率の運転状態では、ドレン処理器２１に流れ込むドレン水が減少し、ドレン処理器２１でドレン水が溢れたり、十分に処理されていないドレン水がドレン処理器２１を通過したりしにくくなる。よって、このような風呂給湯機１１によれば、ドレン処理器２１でドレン水が溢れるのを防ぐために、風呂給湯機１１の燃焼運転を停止する必要が無くなる。また、ドレン処理器２１の容量を通常の運転状態を想定した容量となるように設計すればよいので、ドレン処理器２１や風呂給湯機１１をコンパクトにすることができる。
【００５１】
そして、水位検知器２４がドレン処理器２１内のドレン水の水位が所定水位以下に下がったことを検知し、かつ、ｐＨセンサ２５が処理済みのドレン水のｐＨが所定値以上になったことを検知すると、風呂給湯機１１は再び通常の運転状態に戻る。
【００５２】
また、追い焚き運転時には、第３三方弁３９はドレン水排出管４１側で閉じられ、バーナ１３を燃焼させると共に循環ポンプ４０を稼働し、浴槽３５内の浴水を追い焚き回路に循環させて１次熱交換器１６で加熱し、浴槽３５内の湯の追い焚きを行なう。この場合には、２次熱交換器１７でドレン水は発生しにくいので、ドレン処理器２１でドレン水が溢れる恐れはない。
【００５３】
なお、上記実施形態においては、ドレン水排出管２３にｐＨセンサ２５を設けておき、ｐＨセンサ２５で検知した処理済のドレン水のｐＨがαよりも小さくなった場合にも、風呂給湯機１１を低効率運転するようにしたが、この部分は省いても差し支えない。
【００５４】
また、第３三方弁３９を無くしてドレン水排出管４１が出湯管２８又は接続管２７に直接に接続されるようにしてもよい。
【００５５】
また、何らかの原因でドレン処理器２１が機能しなくなった（故障、目詰まりなど）際には、強制的に風呂給湯機１１が低効率の運転状態に切り替わるようにしておけば、ドレン処理器２１が機能しないときでもユーザーは風呂給湯機１１の使用を続けることができる。
【図面の簡単な説明】
【００５６】
【図１】本発明にかかる風呂給湯機の通常運転時の状態を示す模式図である。
【図２】同上の風呂給湯機の低効率運転時の状態を示す模式図である。
【図３】本発明にかかる風呂給湯機のコントローラの機能ブロック図である。
【図４】本発明にかかる風呂給湯機の動作説明のためのフロー図である。
【符号の説明】
【００５７】
１１      風呂給湯機
１３      バーナ
１６      １次熱交換器
１７      ２次熱交換器
１９      ドレン受け
２０、２３、４１      ドレン水排出管
２１      ドレン処理器
２２      ドレンタンク
２４      水位検知器
２５      ｐＨセンサ
２６      入水管
２７      接続管
２８      出湯管
２９      第１バイパス管
３０      第２バイパス管
３２      流量センサ
３３      第１三方弁
３４      第２三方弁
３７      追い焚き戻り管
３８      追い焚き往き管
４２      コントローラ
４３      リモコン
４５      表示部
【図１】
2008057811.tif 000003
【図２】
2008057811.tif 000004
【図３】
2008057811.tif 000005
【図４】
2008057811.tif 000006